(57)【要約】【課題】映像再生装置とプリンタのＵＳＢ接続において、映像再生装置が再生できない画像は印刷しない、つまりプリンタに画像データを伝送しないようにすることを目的とする。【解決手段】画像記録媒体１２に記録された画像データをプリンタ１９で印刷する際、データ送信許可判定処理部１１０において、画像記録媒体１２から読み出した画像データが所定の規格に準拠していないかどうかやデータが壊れていないかどうかを判定し、規格に準拠していなかったり画像データが壊れている場合は、印刷をしないように制御することにより、無駄な印刷を防ぐものである。これにより、記録紙やインクなどを無駄に消費するのを防ぐことができる。【選択図】図１
2006197302.tif 000002
【特許請求の範囲】
【請求項１】
被制御装置に通信ケーブルによって直接接続し、前記被制御装置との間でデータ通信が可能な映像再生装置であって、画像データを記憶する記録媒体と、前記記録媒体から画像データを読み出す制御手段と、前記制御手段で読み出した画像データが本装置で再生可能かどうかを判定する判定手段と、前記判定手段の判定結果により画像データをデコード処理するデコード手段と、前記デコード手段によりデコードされた画像データを表示する表示手段とを備え、
前記制御手段は、前記判定手段における判定の結果、前記記録媒体から読み出した画像データが本装置で再生可能であると判断した時のみ、前記記録媒体から読み出した画像データを前記被制御装置へ送信することを特徴とする映像再生装置。
【請求項２】
判定手段は、記録媒体から読み出された画像データのファイル名の文字列構成が、所定の文字列構成であるかどうかを判定することを特徴とする請求項１記載の映像再生装置。
【請求項３】
判定手段は、デコード手段でデコード処理が完了したかどうかを判定することを特徴とする請求項１記載の映像再生装置。
【請求項４】
被制御装置は、印刷装置であることを特徴とする請求項１記載の映像再生装置。
【発明の詳細な説明】
【技術分野】
【０００１】
本発明は、映像再生装置の記録指示によって記録装置にデータを記録する技術に関する。
【背景技術】
【０００２】
近年、画像を撮影してデジタル画像データとして記録できる映像再生装置が使用されるようになってきている。これら記録した画像データを印刷する際にはパーソナルコンピュータ（以下ＰＣ）にデータを取り込み、ＰＣからプリンタに画像データを出力して印刷する必要があった。ところが最近はＰＣを介することなく映像再生装置とプリンタを直接、通信ケーブルで接続して映像再生装置から画像データを出力し、印刷できるシステムが利用されるようになった。
【０００３】
以下に従来の映像再生装置について説明する。
【０００４】
従来の映像再生装置の構成を図３に示す。図３において、３１は映像再生装置全体を示す。３２は画像を記録するための画像記録媒体、例えばメモリカードなどの半導体記録メディア、光ディスクメディア、ハードディスク（以下ＨＤＤと記す）を示す。３３は映像再生装置の操作処理部で使用者のキー操作内容を３４の制御部に伝達する処理を行う。３４は制御部で画像記録媒体から画像データを読み込み、ＵＳＢ端子と画像デコード処理へのデータ伝送切り替えを制御する。３５は映像再生装置のＵＳＢ接続端子でＵＳＢプロトコルを用いて外部接続機器との通信を行う。３６は画像記録媒体からの画像データをデコードする処理を示す。３７は映像再生装置の画像を表示する手段である液晶ディスプレイ（以下ＬＣＤと記す）で、ビデオカメラに通常搭載される電子ビューファインダや、電子ビューファインダとは別に設けられる大型の液晶ディスプレイに相当する。また、外部に接続されたモニタなどの機器に出力することも可能である。３８は映像再生装置とプリンタを接続するＵＳＢケーブルを示す。３９は映像再生装置などの機器からＰＣを介することなく直接ＵＳＢ接続が可能な機能を持っているプリンタを示す。
【０００５】
以上のように構成された従来の映像再生装置について、以下その動作について説明する。
【０００６】
まず、映像再生装置３１とプリンタ３９をＵＳＢケーブル３８で接続することにより、映像再生装置３１からプリンタ３９の制御が可能になる。操作処理部３３においてメニューやキなどの使用者操作により、画像記録媒体３２からの画像データを読み込み、ＵＳＢプロトコルを用いてプリンタ３９へ出力するかＬＣＤ３７に表示するために画像デコード処理部への出力切り替えを制御する。よって、使用者が操作することで画像データをＬＣＤ３７に表示したり、プリンタ３９に印刷したりすることができるようになる。
【０００７】
また、映像再生装置３１は記録指示手段を記録媒体３２から取り込むことが可能で記録指示手段からプリンタ３９に対して印刷を指示するシステムを有する。前記システムとはＤＰＯＦファイルから印刷する画像ファイルと枚数を読み込み、プリンタに対して印刷指示制御を行うことを意味する。
【０００８】
ＤＰＯＦ（Ｄｉｇｉｔａｌ  Ｐｒｉｎｔ  Ｏｒｄｅｒ  Ｆｏｒｍａｔ）とは、撮影した画像をプリントサービスや家庭のプリンタで自動的にプリントするための情報を記録することができるフォーマットのことで、ＤＰＯＦ対応の機器で記録すると、画像サイズ、タイトル、トリミング指定、機器情報、日付と時刻、使用者名、住所、電話番号などの情報が記録される。印刷したい画像や枚数、どの情報を一緒に出力するかなどの設定情報を指定すると、その情報が記録媒体に保存され、あとはＤＰＯＦファイルを読み込むことでプリントアウトが手軽に行えるようになる。よって、使用者はＤＰＯＦ印刷を実行することで画像記録媒体の設定情報を読み込み、自動的にプリンタに画像を印刷することができるようになる。
【特許文献１】特開２００４−１９９５１４号公報
【発明の開示】
【発明が解決しようとする課題】
【０００９】
しかしながら上記従来の構成では、印刷しようとしている画像データが壊れていた場合でも、画像記録媒体３２からプリンタ３９に画像データを伝送し、プリンタ３９ではデータが壊れた画像を印刷処理してしまう。具体的には、画像の一部しか印刷されなかったり、画像の画質が著しく乱れて印刷されたりすることになり、このようにして印刷されてしまった記録紙は結果的に廃棄せざるを得なくなる。よって、記録紙やインクを無駄に消費してしまうことになる。
【００１０】
本発明は上記従来の問題点を解決するもので、データが壊れている画像データについては被制御装置へ出力しないように制御することで、上記課題を解決することを目的とする。
【課題を解決するための手段】
【００１１】
この目的を達成するために本発明は、被制御装置に通信ケーブルによって直接接続し、前記被制御装置との間でデータ通信が可能な映像再生装置であって、画像データを記憶する記録媒体と、前記記録媒体から画像データを読み出す制御手段と、前記制御手段で読み出した画像データが本装置で再生可能かどうかを判定する判定手段と、前記判定手段の判定結果により画像データをデコード処理するデコード手段と、前記デコード手段によりデコードされた画像データを表示する表示手段とを備え、前記制御手段は、前記判定手段における判定の結果、前記記録媒体から読み出した画像データが本装置で再生可能であると判断した時のみ、前記記録媒体から読み出した画像データを前記被制御装置へ送信するものである。
【００１２】
この構成によって、映像再生装置が再生可能な画像データのみをプリンタに送信することになり、は映像再生装置で再生できない、つまりＬＣＤに正しく表示できない異常な画像を印刷してしまう課題を解決することが可能となった。
【発明の効果】
【００１３】
以上のように本発明は、映像再生装置からプリンタに画像を印刷する際に、データが壊れた画像なども印刷してしまう可能性があった不具合を、データ送信許可判定処理により解決でき、映像再生装置で再生できた画像のみを印刷することが可能になった。
【発明を実施するための最良の形態】
【００１４】
本発明の請求項１〜４に記載の発明は、被制御装置に通信ケーブルによって直接接続し、前記被制御装置との間でデータ通信が可能な映像再生装置であって、画像データを記憶する記録媒体と、前記記録媒体から画像データを読み出す制御手段と、前記制御手段で読み出した画像データが本装置で再生可能かどうかを判定する判定手段と、前記判定手段の判定結果により画像データをデコード処理するデコード手段と、前記デコード手段によりデコードされた画像データを表示する表示手段とを備え、前記制御手段は、前記判定手段における判定の結果、前記記録媒体から読み出した画像データが本装置で再生可能であると判断した時のみ、前記記録媒体から読み出した画像データを前記被制御装置へ送信するものであり、これにより、壊れた画像など映像再生装置で再生できない画像データを記録装置に伝送してしまうことで異常な画像を印刷してしまう不具合を解決でき、映像再生装置で再生できた画像データのみを記録装置に伝送することが可能になるという作用を有する。
【００１５】
以下、本発明の実施の形態について、図面を用いて説明する。
【００１６】
（実施の形態１）
図１は本発明の実施の形態１における映像再生装置の構成を示すブロック図である。
【００１７】
図１において、１１は映像再生装置全体を示し、少なくとも画像データが記録された記録媒体を内包あるいは着脱自在とし、その画像データを再生して表示することができるものであればよい。例えば、ビデオカメラやデジタルスチルカメラや画像ビューワ装置などがある。さらに、画像データなどを外部へデジタル出力可能なインターフェイスも備えている。
【００１８】
１２は画像を記録するための画像記録媒体で、例えばメモリカードなどの半導体記録メディアや、光学的に信号を記録再生可能な光ディスクメディア、磁気的に信号を記録再生可能なハードディスク（以下ＨＤＤと記す）などからなる。少なくとも画像データを保存できればよい。
【００１９】
１３は映像再生装置の操作処理部で、使用者のキー操作内容を制御部１４に伝達する処理を行う。図示していないが、本装置には使用者が操作可能な操作ボタンなどからなる操作部を別途設けており、この操作部を操作することで発生する操作コマンドにより、操作処理部１３が動作する。
【００２０】
１４は制御手段である制御部で、画像記録媒体１２から画像データを読み込み、ＵＳＢ端子１５（後述）と画像デコード処理部１６（後述）へのデータ伝送切り替えを制御する。
【００２１】
１５は映像再生装置のＵＳＢ接続端子で、ＵＳＢプロトコルを用いて、ＵＳＢ規格に対応した外部接続機器との通信を行う。「ＵＳＢ」とは、「ユニバーサル・シリアル・バス」の略称で、画像データをはじめ様々なデジタルデータを機器間で送受信可能なデジタル通信規格である。なお、本実施の形態では使用する通信規格をＵＳＢとしているが、これに限るものではなく、他のデジタル通信規格であってもよい。したがって、ＵＳＢ端子１５やＵＳＢケーブル１８についても本実施の形態ではＵＳＢ規格に準拠したものを用いているが、これに限るものではない。
【００２２】
１６は画像記録媒体１２からの画像データをデコード処理するデコード手段である画像デコード処理部である。
【００２３】
１７は映像再生装置の画像を表示する表示手段である液晶ディスプレイ（以下ＬＣＤと記す）で、ビデオカメラに通常搭載される電子ビューファインダや、電子ビューファインダとは別に設けられる大型の液晶ディスプレイに相当する。また、外部に接続されたモニタなどの機器に出力することも可能である。
【００２４】
１８は映像再生装置とプリンタとを接続するＵＳＢケーブルで、前述したが、本実施の形態ではＵＳＢ規格に準拠した通信環境を用いているが、ＵＳＢ以外の通信規格を用いることも考えられる。
【００２５】
１９は映像再生装置などの機器からＰＣを介することなく直接ＵＳＢ接続が可能な機能を持っている被制御装置の一例であるプリンタ（印刷装置）で、内部に印刷手段を備えており、映像再生装置側から送信されてくる画像データを記録紙などに印刷が可能である。なお、本実施の形態では、被制御装置の一例としてプリンタを用いたが、これに限るものではなく、映像再生装置１１とＵＳＢケーブル１８によって直接接続し、映像再生装置１１との間でデータ通信が可能であれば、他の機器であってもよい。
【００２６】
１１０は画像デコード処理部１６に設けられた判定手段であるデータ送信許可判定処理部で、図２に示す判定処理を行う。
【００２７】
図２は、図１のデータ送信許可判定処理部１１０の判定処理を示すフローチャート図であり、２１は画像データファイルのファイル名の判定を行い、ＤＣＦ規格に準拠したＪＰＥＧファイルのファイル名判定を行うファイル名判定ステップである。ＤＣＦ（Ｄｅｓｉｇｎ  ｒｕｌｅ  ｆｏｒ  Ｃａｍｅｒａ  Ｆｉｌｅ  ｓｙｓｔｅｍ）規格とはＥｘｉｆ（Ｅｘｃｈａｎｇｅａｂｌｅ  Ｉｍａｇｅ  Ｆｉｌｅ  Ｆｏｒｍａｔ）と併用されることで様々な機器間での再生互換を可能としているデジタルカメラ統一カメラフォーマットのことである。「Ｅｘｉｆ」は画像フォーマットのことで既存の汎用画像フォーマットＴＩＦＦとＪＰＥＧをベースにしており、デジタルカメラ向けの固有情報と運用規定追加しているフォーマットのことである。実際に、ＤＣＦ規格に準拠したＪＰＥＧファイルのファイル名判定の処理は、８文字からなるファイル名の先頭から５文字が任意の英数字で、残り３文字が０から９までの数字で表され、拡張子が「ＪＰＧ」であるファイル名かどうかの判定を行っている。例えば、ファイル名が「ＡＢＣＤＥ１２３．ＪＰＧ」の場合はＤＣＦ規格に準拠したＪＰＥＧファイルのファイル名であり、「運動会．ＪＰＧ」の場合は規格に準拠していないことになる。
【００２８】
２２はファイル名判定ステップ２１で「ＤＣＦ規格に準拠した画像ファイルである」と判定された画像ファイルをデコードするデコード処理ステップである。
【００２９】
２３は画像デコード処理が正常に完了したかどうかを判定するステップである。画像ファイルが壊れている場合など、映像再生装置で再生できない場合が、正常に終了しなかったことを示す。
【００３０】
２４はステップ２３において画像のデコードが正常に完了した場合、ＬＣＤ１７への表示及びプリンタ１９への印刷許可を行う印刷許可ステップである。
【００３１】
２５はステップ２３において画像のデコードに失敗した場合で、ＬＣＤ１７への表示はブルーバック画像の表示を行い、プリンタへは印刷許可しない印刷禁止ステップである。なお、本実施の形態ではステップ２５において、ＬＣＤ１７へ表示する画像をブルーバック画像としたが、表示する画像はこれに限るものではない。
【００３２】
以上のように構成された本実施の形態の映像再生装置について、以下その動作について説明する。
【００３３】
まず、映像再生装置１１とプリンタ１９とを、ＵＳＢケーブル１８で接続する。具体的には、映像再生装置１１に設けられたＵＳＢ端子１５にＵＳＢケーブル１８の一端を接続し、プリンタ１９のＵＳＢ端子（図示せず）にＵＳＢケーブル１８の他端を接続する。そして、映像再生装置１１とプリンタ１９の電源を投入する。これにより、映像再生装置１１からプリンタ１９の動作制御が可能な状態になる。本実施の形態では、ＵＳＢケーブル１８接続後に機器の電源を投入するという説明をしたが、機器の電源を投入した状態で、ＵＳＢケーブル１８を接続しても良い。
【００３４】
次に、操作処理部１３において、メニューやキーなどの使用者操作により、印刷したい画像を選択する。具体的には、映像再生装置１１に設けられた操作部（図示せず）を操作し、画像記録媒体１２に記録されている画像データの一覧または単一画像を、ＬＣＤ１７に表示させる。使用者は表示された画像データの一覧などを見ながら、印刷したい画像を選択する。
【００３５】
次に、使用者により画像データの選択が成されると、選択された画像データを画像記録媒体１２から読み出す。画像記録媒体１２から読み出された画像データは、制御部１４を通して画像デコード処理部１６のデータ送信許可判定部１１０へ入力される。
【００３６】
データ送信許可判定処理１１０では、入力された画像データが印刷可能かどうか判定される。具体的な判定処理については後述する。印刷可能な場合は、ＬＣＤ１７に画像記録媒体１２から読み出された画像が表示され、かつプリンタ１９への印刷操作が可能になる。印刷可能でない場合は、ＬＣＤ１７にブルーバック画像が表示され、またプリンタ１９への印刷操作が行えないようになる。
【００３７】
印刷が可能な場合は、制御部１４は画像記録媒体１２から再度画像データを読み出し、ＵＳＢ端子１５及びＵＳＢケーブル１８を介してプリンタ１９へ出力する。プリンタ１９では、入力される画像データを記録紙などに印刷する。
【００３８】
また、ＤＰＯＦ印刷の時は、操作部（図示せず）を操作してＤＰＯＦ印刷の操作を使用者が行うことで、画像記録媒体１２から記録指示手段（ＤＰＯＦファイル）を読み込んでＤＰＯＦファイルに設定されている画像データと枚数情報を読み込み、制御部１４を通してデータ送信許可判定処理１１０によって印刷が可能かどうか判定される。印刷可能な場合は、ＬＣＤ１７に画像が表示され、かつプリンタ１９へＤＰＯＦファイルの印刷枚数分の印刷指示がプリンタ１９に送信される。印刷可能でない場合は現在の画像データをスキップして、ＤＰＯＦファイルの次の画像データを読み込み、データ送信許可判定処理を繰り返す。
【００３９】
次に、図２を用いて、印刷可能判定処理について説明する。
【００４０】
まず、ステップ２１において、画像記録媒体１２から読み出された画像データのファイル名が、ＤＣＦ規格に準拠したＪＰＥＧファイルのファイル名かどうかの判定を行う。ＤＣＦ規格とはＥｘｉｆと併用されることで様々な機器間での再生互換を可能としているデジタルカメラ統一カメラフォーマットのことである。「Ｅｘｉｆ」は画像フォーマットのことで、既存の汎用画像フォーマットＴＩＦＦとＪＰＥＧをベースにしており、デジタルカメラ向けの固有情報と運用規定を追加しているフォーマットのことである。実際に、ＤＣＦ規格に準拠したＪＰＥＧファイルのファイル名判定の処理は、８文字からなるファイル名の先頭から５文字が任意の英数字で、残り３文字が０から９までの数字で表され、拡張子が「ＪＰＧ」であるファイル名かどうかの判定を行っている。例えば、ファイル名が「ＡＢＣＤＥ１２３．ＪＰＧ」の場合はＤＣＦ規格に準拠したＪＰＥＧファイルのファイル名であると判断し、「運動会．ＪＰＧ」の場合は規格に準拠していないと判断される。規格に準拠していないと判断された場合は、ステップ２５に進み、表示及び印刷を禁止する。規格に準拠していると判断された場合は、ステップ２２に進む。
【００４１】
ステップ２２では、ファイル名判定ステップ２１で「ＤＣＦ規格に準拠した画像ファイルである」と判定された画像ファイルをデコード処理し、ステップ２３へ進む。
【００４２】
ステップ２３では、画像デコード処理が正常に完了したかどうかを判定する。画像ファイルが壊れている場合など、映像再生装置で再生できない場合が、正常に終了しなかったことを示す。デコード処理が正常に終了しなかったと判定された場合はステップ２５へ進み、デコード処理が正常に終了したと判定された場合はステップ２４へ進む。
【００４３】
ステップ２４では、ステップ２３において画像のデコードが正常に完了した場合、デコードした画像データをＬＣＤ１７へ表示するとともに、プリンタ１９への印刷許可を行う。プリンタ１９は、映像再生装置１１から出力される画像データを入力し、記録紙などに印刷を行う。
【００４４】
以上のように本実施の形態によれば、画像記録媒体１２に記録された画像データをプリンタ１９で印刷する際、データ送信許可判定処理部１１０において、画像記録媒体１２から読み出した画像データが所定の規格に準拠していないかどうかやデータが壊れていないかどうかを判定し、規格に準拠していなかったりデータが壊れている場合は、印刷をしないように制御することにより、無駄な印刷を防ぐものである。これにより、記録紙やインクなどを無駄に消費するのを防ぐことができる。
【産業上の利用可能性】
【００４５】
本発明は、映像再生装置とプリンタとを接続し、映像再生装置から直接プリンタへ画像データを送信し印刷する構成に関するものである。映像再生装置としては、ビデオカメラの他に少なくとも画像データを再生かつ出力可能なものであればよい。
【図面の簡単な説明】
【００４６】
【図１】本発明の実施の形態１における映像再生装置の構成を示すブロック図
【図２】本発明の実施の形態１におけるデータ送信許可判定処理のフローチャート
【図３】従来の映像再生装置の構成を示すブロック図
【符号の説明】
【００４７】
１１    映像再生装置全体
１２    画像記録媒体
１３    操作処理部
１４    制御部
１５    ＵＳＢ端子
１６    画像デコード処理部
１７    ＬＣＤ
１８    ＵＳＢケーブル
１９    プリンタ
１１０    データ送信許可判定処理部
【図１】
2006197302.tif 000003
【図２】
2006197302.tif 000004
【図３】
2006197302.tif 000005